Podtech/llm-jp-corpus-v4-ja_patent huggingface dataset:
(57)【要約】【課題】洗濯物を干す場合、風が吹いたとき干し物が片方に吹き寄せられたり、干し物を干すスペースが広くなり過ぎたり、稼働も多く必要とする等の問題があるが、これらを解消するには作業が簡単にでき、風で干し物が吹き寄せられない物を提供することである。【解決手段】弾性の合成樹脂を使用し、筒形に形成した本体１に開口部４を設け所要箇所にリング形又はらせん形の凸部２を設け、それぞれの間を溝３とし使用するときは、これを物干し竿にはめ込み、溝３に衣服掛け掛けて使用するが、本体１は外被６と変えて使用してもよい。【選択図】　　　図１
2004136053.tif 000002
【特許請求の範囲】
【請求項１】
弾性の合成樹脂を使用し、所要の内径と長さにより筒形に形成した本体（１）の所要箇所に、リング形の凸部（２）を設け、それぞれの間を溝（３）として両方の端末部（５）の肩の表面は使用中干し物がかかる等の支障が無いように曲面に形成し、所要箇所には開口部（４）を設けることを特徴とする、風で吹き寄せられない物干し補助具
【請求項２】
リング形に形成した凸部（２）の形状を、らせん形に変更することを特徴とする請求項１記載の、風で吹き寄せられない物干し補助具。
【請求項３】
開口部（４）を設けず、合成樹脂を使用して伸縮自在の外被（６）を筒形に形成し、前記の本体（１）に変えて物干し竿にかぶせて使用することを特徴とする請求項１記載の、風で吹き寄せられない物干し補助具。
【発明の詳細な説明】
【０００１】
【発明の属する技術分野】
この発明は、弾性の合成樹脂を使用して，開口部を設けた筒形の本体に，それぞれの間を溝として、使用するときは本体を物干し竿にはめて、溝の部分に衣服掛けを掛けて使用し風が吹いても干し物が吹き寄せられないようにした、風で吹き寄せられない物干し補助具に関するものである。
【０００２】
【従来の技術】
従来は、大型のクリップを使用して、干し物を直接竿に挟んで止めるか、衣服掛けの下部に複数のクリップを設けた用具を使用していた。
【０００３】
【特許文選１】
特許−３１６５３２６号公報（図１、図９）
特許−２８９８５７６号公報（図１、図７）
特許−２８８７７４２号公報（図１）
実登−３０８３９９８号公報（図１）
実登−３０７１８６４号公報（図１、図６）
実登−３０６８４０３号公報（図１、図３）
【０００４】
【発明が解決しようとする課題】
従来から使用しているもので、シャツ等の大きな物は一つづつ大きなクリップで直接、物干し竿に固定していたので広いスペースと大きな稼働を必要とした。
【０００５】
又、衣服掛けを使用した場合は、しっかりと固定しておかないと、風で片方に吹き寄せられるという課題があった。
【０００６】
【課題を解決するための手段】
本発明は、弾性の合成樹脂を使用して開口部を設け、筒形に形成したものを本体とし、使用している物干し竿にかぶせて、本体に設けた溝の部分に衣服掛けを掛けて使用すれば、風が吹いても干し物が片方に吹き寄せられることもなく、安心して作業ができる。
【０００７】
【発明の実施の形態】
本発明は、弾性の合成樹脂を使用して開口部を設けた筒形の本体を形成し、リング形、又はらせん形の凸部又は、開口部の無い外被を設ける。
【０００８】
以上のように形成された本発明を使用するときは、筒形に形成された本体の開口部を開いて、使用している物干し竿にはめ込み、リング形又は、らせん形の凸部相互間の溝に衣服掛けを掛けて使用する。
【０００９】
開口部を設けない合成樹脂製の外被も、前記と同様に物干し竿にかぶせ、設けられた溝の部分に衣服掛けを掛けて使用すれば、風が吹いても干し物が片方に、吹き寄せられないので、安心して物干し作業をすることができる。
【００１０】
【実施例】
本発明について図面を参照して説明すると図１は本発明の請求項１で説明したものの斜視図であり、弾性の合成樹脂を使用し、所要の内径と長さにより筒形に形成された本体１の所要箇所に、リング形の凸部２を設け、それぞれの間を溝３とし、両端は端末部５として肩の部分は曲面に形成し、所要箇所には開口部４を設ける。
【００１１】
図２は本発明の請求項２で説明したものの斜視図であり、前記ではリング形の凸部２を設けたが、ここではらせん形の凸部２としたものであるが、他の符号、機能の説明は図１と同様のため省略する。
【００１２】
図３は本発明の請求項３で説明したものの斜視図であり、前記は開口部を設けた筒形であるが、本欄では開口部を設けず合成樹脂製の筒にした外被６であり、使用するときは、これを物干し竿にかぶせて、溝３の部分に衣服掛けを掛けて使用するが他の符号、及び機能の説明は、図１と同様のため省略する。
【００１３】
【発明の効果】
本発明は、以上説明したような形態で実施され、以下に記載されるような効果を奏する。
【００１４】
本発明は、内径、長さ等、使用に適した物を使用すれば、物干し竿の機能を十分活用でき、使用スペースも有効に広くとることができる。
【００１５】
さらに、本発明は使用している物干し竿に密着しているので使用中、風が吹いても片方に吹き寄せられないという、大きな効果がある。
【図面の簡単な説明】
【図１】本発明の、請求項１で説明したものの斜視図である。
【図２】本発明の、請求項２で説明したものの斜視図である。
【図３】本発明の、請求項３で説明したものの斜視図である。
【符号の説明】
１…本体
２…凸部
３…溝
４…開口部
５…端末部
６…外被
７…物干し竿
【図１】
2004136053.tif 000003
【図２】
2004136053.tif 000004
【図３】
2004136053.tif 000005
(57)【要約】【課題】ゴルフの練習者が、練習場に出かけることなく、素振りするだけで、打球の方向、打球の回転或いはスイングの不揃い（ばらつき）等を矯正する為にスイング時のクラブヘッドの軌道を確認できるクラブ型練習用具の提供。【解決手段】保水材を収容する水溜部を有するパイプ状シャフト先端部にノズルを設け、該シャフトの他端部外面側にグリップを設けると共に開口部に栓を設ける。該シャフト内にチューブ等の筒体を設け、外チューブに保水材を収容する水溜部を接続する。該シャフト先端部のノズル部に流量調節用の弁を設ける。【選択図】　　　図１
2004136055.tif 000002
【特許請求の範囲】
【請求項１】
保水材を収容する水溜部を有するパイプ状シャフトの先端部にノズルを設け、該シャフトの他端部外側面にグリップを設けると共に開口部に栓を設けて成り、シャフト内に水の適量を入れて保水材で溜めた後にスイングをして、遠心力に拠りノズルから飛散する水滴の地面に落下して残す軌跡がクラブヘッドの軌道を確認させることの出来るゴルフのスイング訓練クラブ。
【請求項２】
前記パイプ状シャフト内にチューブ等の筒体を設け、外チューブに前記保水材を収容する水溜部を接続して成る請求項１におけるゴルフのスイング訓練クラブ。
【請求項３】
シャフト先端部に設けるノズル部に流量調節用の弁を設けることを特徴とする請求項１記載のゴルフのスイング訓練用クラブ。
【発明の詳細な説明】
【０００１】
【発明の属する技術分野】
本発明は、ゴルフのスイングを訓練する為の練習用クラブに関するものであり、特に、実際に打球することなく、打球方向を確認出来る練習用クラブに関するものである。
【０００２】
【従来の技術】
ゴルフの練習者が自分の打った打球方向を知るためには、練習場に出かけて、ボールを実際に打って試す以外に方法が無く、亦スイング時のクラブヘッドの軌道を確実に知るためには他人の助言を仰ぐ以外に、その方法が無いのが現状である。
【０００３】
【発明が解決しようとする課題】
従って、本発明に於いては、前記従来技術には無い、練習者本人が練習場に出かけることなく、自宅においてでも自身で素振りするだけで、打球の方向、打球の回転或いはスイングの不揃い（ばらつき）等を矯正する為にスイング時のクラブヘッドの軌道を確認できる練習用具をクラブ型にして提供することを課題としている。
【０００４】
【課題を解決するための手段】
基本的には、手元側端部にグリップ及び開口部を脱着する水の飛び出しを防ぐ栓を設けたパイプ状シャフト内部に保水材を収容する水溜部を設け、この中に蓄えられた水が、素振り時に、シャフトの先端部に設けるノズルから水滴となって地面上に軌跡を残し、クラブヘッドの軌道を確認できるゴルフの練習用クラブとして課題を解決している。
【０００５】
前記パイプ状シャフト内にチューブ等の筒体を設け、該チューブに前記保水材を収容する水溜部を接続して、該チューブ等の筒体の開口部から注入し水溜部内に溜まる水の流動を制限することで、より利便性が発揮される練習用クラブとしても構成される。この構成に於いてもシャフトの手元側該側部にはグリップが施され、先端部にはノズル部を形成することには変わりが無い。
【０００６】
前記シャフトの先端部に設ける、水溜部に直結するノズル部の適宜位置に流量調節弁を設けて、飛散する水滴量を調整して使用すると更に利便性が生ずる練習用クラブとする事も出来るものである。
【０００７】
【発明の実施の形態】
発明の実施の形態を図面に示す実施例に従って以下に詳述する。
図１は、本発明の一実施例を示す断面図であり、パイプ状シャフト１の先端部に、ノズル６を形成し保水材３−１が収容される水溜部３を有するヘッド本体２を結合し、シャフト１の他端即ち手元側端部の外側面には、実際のクラブに於けると同様のグリップ４を設け、開口部に栓５を設けた最も単純な構造の実施例が示されている。理想的には、シャフト１の太さ或いは先端部のヘッド本体２の重さ或いはグリップ４等を実物に似せて形成する事である。
【０００８】
本実施例にあっては、使用前にシャフト１の開口部の栓５を外して適量の水を注入して、水溜部３内に収容されている、例えば海綿等の保水材３−１で蓄え、栓５で水がシャフト１の上部から飛び散らないように蓋をし、グリップ４を握って素振りを実行するものである。スイング時にはノズル６の出口から保水材３−１に蓄えられている水が水滴となって飛散し、スイング時の遠心力による軌跡を地面上を濡らして残り、スイング時の軌道を飛散の方向或いは曲がり具合等を自分の目で確認しながら素振りを繰り返し、練習することを可能としている。水は一度の注入で数十回の素振りが可能である。
シャフト１の材料には、重さを考慮して金属、カーボン繊維或いは合成樹脂等を任意に選定でき、亦保水材３−１の素材としては海綿に限ったものでなくフェルト或いは布等の使用が可能である。
【０００９】
図２は他の実施例を示す主断面図である。図１に示す実施例のパイプ状シャフト１内にチューブ７を設け、このチューブ７に水溜部３を有するヘッド本体２を接続して成るもので、この場合にはチューブ７を通じて水を注入し、シャフト１内での水の流動を制限して使用するので、図１に示す実施例のものと比べて、より使い易いゴルフの練習用のクラブとする事ができる。
【００１０】
図３は、シャフト先端部の部分断面図である。図１及び図２の実施例に於ける先端部に設けるシャフト１に結合するヘッド本体２の先端部に於ける細管流路即ちノズル６の出口より器具内側の適宜位置に流量調節弁８を設けたものであり、この流量調節弁８を設けることにより、飛散する水滴の量を最適に設定出来ることになる。
【００１１】
【発明の効果】
以上説明したように、本発明によるクラブの使用で、自宅においても気軽に練習をすることができ、地上のアスファルト面或いはコンクリート面或いは土壌面等に新聞紙等を敷いて、スイング時の水の軌跡を残して使用者のスイングの型を造りあげることが容易に可能となり、課題を十分に解決している極めて単純で効果的なゴルフの練習用クラブとする事ができる。
【図面の簡単な説明】
【図１】図１は、本発明の一実施例を示す断面図である。
【図２】図２は、他の実施例を示す主断面図である。
【図３】図３はシャフト先端部の要部断面図である。
【符号の説明】
１　　　　パイプ状シャフト
２　　　　ヘッド本体
３　　　　水溜部
３−１　　保水材
４　　　　グリップ
５　　　　栓
６　　　　ノズル
７　　　　チューブ
８　　　　流量調節弁
【図１】
2004136055.tif 000003
【図２】
2004136055.tif 000004
【図３】
2004136055.tif 000005
(57)【要約】【目的】新に歯に美を表現する事の出来る装飾品。【構成】貴金属、プラスチック、セラミック、宝石、木、紙、その他、を造形し色彩を施し作る装飾品。【選択図】図１
2004136064.tif 000002
【特許請求の範囲】
【請求項１】
歯に色彩及び造形で人工美を表現する、装飾品。
【発明の詳細な説明】
【０００１】〔産業上の利用分野〕
本発明は歯の色彩及び造形した装飾品。
【０００２】〔従来の技術〕
今だ無い。
【０００３】〔発明解決しょうとする課題〕
従来の歯は白色主体で単調で有った。
【０００４】〔間題を解決する為の手段〕
貴金属プラスチック、セラミック、宝石、木、紙、染料、その他、を使用し歯に人工的に造形及び色彩で美を表現する装飾品を造る。
【０００５】〔作用〕
単調な歯が芸術的歯に変化する。
【０００６】〔実施例〕
１．ダイヤの粒子をセラミックに圧接し星のイメージ宇宙を表現する装飾品を作る。２．プラチナ板に透かし彫りした装飾品３．セラミックに絵を書き焼いた装飾品、等は一部で現在、美術を駆使し造形及び色彩で創作し、留め金、接着剤で歯に装着する。
【０００７】〔発明の効果〕
本発明は以上の様な構造で使用する時、新な歯の美が表現出来る
【図面の簡単な説明】
【図１】本発明の平面図で有る
【符号の説明】
１．セラミックにダイヤの粒子を圧着した装飾品
２．プラチナに透かし彫りした装飾品
３．セラミックに絵を書いて焼いた装飾品
【図１】
2004136064.tif 000003
(57)【要約】【目的】長靴専用の干し台がなかったので水切りの良い干し台を考えた。従来は物干し竿の先などに干していたがつま先部分が重いため下を向いてしまい、つま先に水が溜まり乾きが遅かった。その欠点を除くために長靴の筒口を下に向けて干すことで水切れが良く、乾きも速く、干すのも簡単な干し台を考えた。【構成】長靴が差し込めるくらいの空間を設けた板１の長辺の片側（★）に脚２をつける。さらに長辺の片側（☆）に脚３をつける。脚２より脚３の長さを長くすることにより、板に傾斜がつく。図３の板のように一つの差込口を斜めに半分にするなどして幅を狭くすれば子供用の長靴も干すことができる。【選択図】　図４
2004136061.tif 000002
【特許請求の範囲】
【請求項１】
長靴を逆さにして筒口を差し込む、主に長靴を乾かすための長靴干し台。
【請求項２】
速乾性を考えて傾斜をつけた長靴干し台。長靴の筒口が差し込めるくらいの空間を設けた板１の長辺の片側（★）に脚２をつける。さらに長辺の片側（☆）に脚３をつける。脚２より脚３の長さを長くすることにより、板に傾斜がつく。
【請求項３】
差込口の幅の広狭を設けるか、または、差込口の大きさを斜めに半分にすることによって、子供用の長靴なども干すことが出来る。（図３参照）
【発明の詳細な説明】
【０００１】
この発明は、長靴だけを乾かすための長靴干し台に関するものである。
【従来の技術】
【０００２】
従来長靴を干すには、物干し竿の先に長靴を掛ける等して干していたが、
特に専用の干し器具がなかったので、不便だった。
本発明は、その不便を除くために長靴専用の干し器具を考えた。
【課題を解決するための手段】
【０００３】
水切れを良くするために傾斜を設け、手軽に干せるようにした。
【発明の実施の形態】
【０００４】
長靴の筒の部分が入るくらいに差込口の開いた台（図１参照）に長靴を逆さにして長靴のつま先部分を台の傾斜が高いほうに向け、長靴の筒口を差し込むだけで簡単に干せる長靴干し台。（図４参照）
【図面の簡単な説明】
【図１】本発明の斜視図である。
【図２】本発明の側面図である。
【図３】本発明の斜視図（子供用付）である。
【図４】本発明の使用中の斜視図である。
【符号の説明】１は板，２は脚（短），３は脚（長），★は脚（短），☆は脚（長）を付ける辺。
【図１】
2004136061.tif 000003
【図２】
2004136061.tif 000004
【図３】
2004136061.tif 000005
【図４】
2004136061.tif 000006
(57)【要約】【課題】テーブルクロス及びランチョンマットに、水をこぼした時、水の拡がりを防ぐ。【解決手段】テーブルクロス及びランチョンマットに、高分子吸収材を使用する。【特許請求の範囲】
【請求項１】
高分子吸水材を使用したテーブルクロス及びランチョンンマット
【発明の詳細な説明】
【０００１】
【発明の属する技術分野】
本発明は、高分子吸水材を使用したテーブルクロス及びランチョンマットに関する。
【０００２】
【従来の技術】
従来は、布又は紙を使用している。
【０００３】
【発明が解決しようとする課題】
従来のテーブルクロス及びランチョンマットは、水をこぼした時、水を吸いきれず廻りに広がるという問題点があった。
【０００４】
本発明は、テーブルクロス及びランチョンマットに、水をこぼした時、水の拡がりを防ぐ事を目的としている。
【０００５】
【課題を解決する為の手段】
上記目的を達成する為に、テーブルクロス及びランチョンマットに高分子吸水材を、使用したものである。
【０００６】
【発明の効果】
本発明は、テーブルクロス及びランチョンマットに、水をこぼした時、水の拡がりを防ぎ、廻りを水で汚さない効果がある。
(57)【要約】【課題】ゴム状突起をつけたスリッパで効果の大きい指圧をする器具。【解決手段】ゴム状突起を設け、さらに自由に付けはずしができるようにし、指圧強度を調節できるようにしたことを特徴とする。【選択図】　　　図１
2004136036.tif 000002
【特許請求の範囲】
【請求項１】
ゴムスリッパの底に半球状のゴム突起（１）を設け、背中を指圧する健康スリッパ。（ゴム突起固定式と移動式）
【発明の詳細な説明】
【０００１】
【発明の属する技術分野】
この発明はスリッパにゴム状突起をつけた健康指圧道具に関するものである。
【０００２】
【従来の技術】
従来、手で扱う指圧器具があった。
【０００３】
【発明が解決しようとする課題】
これは次のような欠点があった。
（イ）手で行なう器具ではあまり強く押せなかった。
（ロ）圧力点を単数、複数、自由な位置に変えられなかった。
本発明は、これらの欠点を除く為になされたものである。
【０００４】
【課題を解決するための手段】
（イ）の課題を解決するのはゴム状突起固定式でよいが、（ロ）の課題を解決するにはゴム状突起移動式が必要となる。これはスリッパ裏面全体にマジックテープを貼り半球状のゴム突起の裏面にもマジックテープを貼れば自由に好きな場所に好きな数だけ固定できる。また、すぐに脱げないように伸縮性のあるストラップ（２）を設ける。
本発明は、以上のような構成よりなる健康指圧スリッパである。
【０００５】
【発明の実施の形態】
以下、本発明の実施例について説明する。
（イ）固定式は伸縮性ストラップをかかとにかけてしっかり足に装着し、片足又は両足で背中や足腰を踏み指圧する。
（ロ）ゴム突起移動式ではまず、スリッパ裏面にゴム突起を希望数だけ自由な位置に装着する。強く指圧したい時は突起の数を少なくし、逆に弱くしたい時は突起の数を多くするとよい。
（ハ）つぎに伸縮性ストラップをかかとにかけてしっかり足に装着し、片足又は両足でバランスをとりながら背中や足腰を踏み指圧する。
【０００６】
【発明の効果】
手による指圧よりも体重を使うので数段効果が大きい。また指圧ポイントを変えられるので強さを調節できる。
【図面の簡単な説明】
【図１】本発明の斜視図である。
【図２】本発明の裏面図である。
【図３】本発明の側面図である。
【図１】
2004136036.tif 000003
【図２】
2004136036.tif 000004
【図３】
2004136036.tif 000005
(57)【要約】　　　（修正有）【課題】鞄の中の小間物入れ専用の整理袋を提供する。【解決手段】基盤１の両端に横長の仕切りのない網袋２を取付け、この網袋の中間は仕切りピン３，３′で挟むため、固定せず自由に動くようにしておく。この網袋を上下数段取付け、網袋に入れる物の大きさに応じて、横長の袋を仕切りピンで挟んで縦に仕切り、必要な物をいれる。仕切りピンは、実際は、一本の針金を曲げて二本に見せているのであるが、袋を二本の針金で袋の裏面と表面を挟むような形で袋の下部から差込、仕切りピンの上部は枠の穴４に掛けられるように鉤状にしておき、仕切りピンの上部の鉤を基盤である枠の穴に取付ける。さらに、袋がずり下がらないように、二本の仕切りピンの片方の下部に袋留め鉤を付ける。【選択図】　　　　図３
2004136038.tif 000002
【特許請求の範囲】
【請求項１】
基盤１（板や枠）に横長の袋の口を上にして、袋端９を基盤１の両端に取付け、袋２の底を留めずに自由に動くようにした鞄の整理内袋。
【請求項２】
袋２を支えるための基盤１（板や枠）に、横長の袋２の袋端９を基盤１の両端に取付け、この袋２の底から、仕切りピン３、と仕切りピン３’の間に袋２挟んで差込み、袋２の両面をつぶすように挟んで仕切り、仕切りピン３、３’の上部に付いた鉤５，５’を基盤１の引っ掛け穴４に取付けた鞄の整理内袋。
【請求項３】
仕切りピン３‘の上部ピン鉤５’の下部先端に、網袋２がずり落ちないように袋留め鉤６を設けた鞄の整理内袋。
【発明の詳細な説明】
【０００１】
【産業上の利用分野】
鞄やリックサックや旅行鞄の中に入れる整理内袋であるが、基盤１の両端に袋２を留め、袋２の中間を自由にさせて、この袋２を入れる物の大きさに応じて、袋２の中間を仕切りピン３で仕切り、沢山の袋を作り大きさや種類別に物を入れることのできる鞄の整理内袋。
【０００２】
【従来の技術】
従来の鞄の中に書類や本以外の小間物を入れる袋は、鞄内の仕切り布に、袋やペン挿し袋が縫い付けてあり、入れる物の大きさによっては入らない。また、袋の位置も決まっているので、一ヶ所だけ膨らみ鞄全体の厚みを調整できない。
【０００３】
【発明が解決しようとする課題】
従来の鞄の中に大小さまざまな物を入れる場合、鞄の中に縫い付けてある袋では、物の大きさによっては入らないし、小さい物だと袋から溢れ、鞄の底に入り探すのに苦労し、取出すのに不便である。さらに、鞄全体の厚みを調整するために、上下、左右、均等に割り振って入れることができない。そこで、鞄の中の小間物入れ専用の整理袋が欲しい。
【０００４】
【課題を解決するための手段】
網袋２を挟む仕切りピン３，３’は、一本の針金を折り曲げて造るのであるが、基盤１の枠の両端に横長にした網袋２の袋端９を取付け、網袋２の中間は固定せず、枠の中の空間７を自由に動くようにしておき、網袋２の中間は、入れる物の大きさに合わせて、仕切りピン３と仕切りピン３’で横長の網袋２を縦に挟んで仕切り、仕切りピン３と仕切りピン３’を別のピン掛け穴４に移動すれば網袋２の大きさを変えることができる。
この袋を締め付ける仕切りピン３、３’は、仕切りピン３と仕切りピン３’の間に網袋２が入り、網袋２の裏面と表面を仕切りピン３，３’である前後二本の針金で挟み込み、網袋２の上部を物入れ口８とさせたもので、針金の仕切りピン３、３’の上部は鉤型にする。このピン鉤５ピン鉤５’は、網袋２を挟み基盤１となる枠の掛け穴４に取付けるのである。
基盤１となる枠の上部にピン掛け穴４を多数付け、必要な網袋２の大きさに合わせて仕切りピン３、３’を移動して固定する。網袋２の幅を必要に応じて、任意の網袋２の大きさにするためピン掛け穴４を多数設けるので、仕切りピン３も多数用意する。
仕切った網袋２の上部が、ずり落ちないように仕切りピン３’の上部ピン鉤５’の下に袋留め鉤６を付ける。
【０００５】
【実施例】
本や書類と一緒に鞄の中に、この発明の鞄の整理内袋を入れ使用するのであるが、ペン、消しゴム、スケール等筆記用具、メガネ、メジャー、等大きさが違うので、必要な網袋２の大きさにするため、網袋２を仕切るのであるが、仕切りピン３、３’の間に網袋２を挟んで使用するのである。仕切りピン３，３’を移動して網袋２の幅を変え、基盤１である枠に開けてあるピン掛け穴４に仕切りピン３、３’を固定すれば、入れ口８より入れる品物に合った大きさの網袋２ができる。
旅行鞄やリックサック等の中に入れ使用すると、入れる品物が多いので仕分けるにも、また、取出すにも便利である。
【０００６】
【発明の効果】
鞄の中には、いろいろな物を入れ、また、それを取りださなければならない。鞄の中に鞄の整理袋を使用すれば、鞄の中身を整理できる。
【図面の簡単な説明】
【図１】この発明の網袋２を仕切らない場合の平面図である。
【図２】この発明の網袋２を仕切りピン３、３’で仕切った平面図である。
【図３】この発明の網袋２を仕切りピン３、３’で仕切った正面図である。
【図４】この発明の仕切りピン３，３’で仕切ったＡ−Ａ’断面図である。
【図５】この発明の仕切りピン３、３’の上部と下部の斜面図である。
【図６】この発明の仕切りピン３と仕切りピン３’で網袋２を挟み、網袋２がずり落ちないように、袋留め鉤６に掛けた全体の側面図と正面図である。
【図７】この発明の仕切りピン３、３’に網袋２を取付けた斜面図である。
【図８】この発明の基盤１である枠とピン掛け穴４の一部斜面図である。
【符号の説明】
１　　　　　基盤（板や枠）
２　　　　　袋（網袋）
３　３’　　仕切りピン
４　　　　　ピン掛け穴
５　５’　　ピン鉤
６　　　　　袋留め鉤
７　　　　　空間
８　　　　　入れ口
９　　　　　袋端
【図１】
2004136038.tif 000003
【図２】
2004136038.tif 000004
【図３】
2004136038.tif 000005
【図４】
2004136038.tif 000006
【図５】
2004136038.tif 000007
【図６】
2004136038.tif 000008
【図７】
2004136038.tif 000009
【図８】
2004136038.tif 000010
(57)【要約】【課題】安心して踏み台と手摺双方を使用して、浴槽壁を跨いで浴槽の中に出入りできる浴槽入浴補助具を提供する。【解決手段】本発明は、浴槽壁等の上端に取付ける踏み台部分（１）と、取付け部の上方に突起した手摺受部（３）を設け、この手摺受部（３）に円筒状からなる上部横バー（ｃ）と下部横バー（ｄ）を曲面縦バー（ａ）と斜面縦バー（ｂ）で結合した手摺部分（２）を差込み、複数の吸盤類（４）を設けた下部横バー（ｄ）の底部で、浴槽壁等の上端に固着することを特徴した、浴槽入浴補助具である。【選択図】　図１
2004136039.tif 000002
【特許請求の範囲】
【請求項１】
浴槽壁等の上端に取付ける踏み台部分（１）と、取付け部の上方に突起した手摺受部（３）を設け、この手摺受部（３）に円筒状からなる上部横バー（ｃ）と下部横バー（ｄ）を曲面縦バー（ａ）と斜面縦バー（ｂ）を結合した手摺部分（２）を差込み、下部横バー（ｄ）の底部に設けた複数の吸盤類（４）を、浴槽壁等の上端に固着することを特徴とする浴槽入浴補助具。
【発明の詳細な説明】
【０００１】
【発明の属する技術分野】
本発明は、特に、高齢者や身体障害者等が浴槽の中に、出入りを容易にする浴槽入浴補助具に関するものである。
【０００２】
【従来の技術】
家庭用浴槽等は、洗い場から浴槽壁を跨いで入浴したり、浴槽から浴槽壁を跨いで洗い場に出て使用していた。従って、高齢者や身体障害者等は、浴槽からの出入りが非常に困難であった。この問題を解決する入浴補助具として、特許開２０００−１３９７５１号公報に記載されている入浴用補助具が知られている。この入浴用補助具は、浴槽壁取付部と、浴槽側脚部と、洗い場側脚部と浴槽側脚部に取付けた浴槽側踏み板と、浴槽側踏み板に取付けられた踏み板脚部からなり、さらに、浴槽壁取付部には、上方に突出した手摺も設けられている。
【０００３】
【発明が解決しようとする課題】
従来例は、入浴する際踏み板に載ろうと手摺に手を掛けても、掴む部分が短く身体のバランスを崩し易く危険性を伴う問題がある。また、一方で浴槽底部に設けた脚部付き踏み台は、構造的にも複雑であり浴槽内で身体を伸ばす際に、くつろぎ感がなく窮屈である問題もある。従って、この発明の目的は、安心して踏み台と手摺双方を使用して、浴槽壁を跨いで浴槽の中に出入りできる浴槽入浴補助具を提供する。
【０００４】
【課題を解決するための手段】
本発明は、上記問題点を解決するために、浴槽壁等の上端に取付ける踏み台部分（１）と、取付け部の上方に突起した手摺受部（３）を設け、この手摺受部（３）に円筒状からなる上部横バー（ｃ）と下部横バー（ｄ）を曲面縦バー（ａ）と斜面縦バー（ｂ）を結合した手摺部分（２）を差込み、下部横バー（ｄ）の底部に設けた複数の吸盤類（４）を、浴槽壁等の上端に固着した。即ち、浴槽壁に踏み台部分（１）と手摺部分（２）と手摺受部（３）を結合したことで、双方に支えられている浴槽壁取付け部が動かないようにしっかりと支持されている。従って、踏み台部分（１）に脚部が無くともぐらつくことがなく安心して踏み台に載れる、また、手摺部分（２）を設けたことで、身体のバランスを崩すことなく安心して浴槽壁を跨いで浴槽の中を出入りできる。
【０００５】
【発明の実施の形態】
以下、本発明ついて説明する。
イ　　複数の家庭用浴槽等の浴槽に、浴槽壁等に踏み台と手摺とからなる双方の部分に、入浴する際力を入れて浴槽壁を跨いで出入りしても、安心できるように構造や形態を簡素化し、さらに、着脱方法の取扱いを容易にした浴槽入浴補助具である。
ロ　　なお、手摺部分（２）の下部横バー（ｄ）の底部に設けた複数の吸盤類（４）は、左右に移動できるように構成したので、各種類の浴槽幅の違いからなる浴槽側壁間の端部・中央部等全てに対し、手摺部分（２）を横断できるようにしたので、任意の位置を選ぶことができる。
ハ　　このようにして、踏み台部分（１）と手摺部分（２）を取付けた後、手摺を持って、踏み台に載り浴槽壁を跨いで浴槽の中に出入りしても、この双方を支えている浴槽壁取付部が動かないように支持してくれる。従って、踏み台部分（１）がぐらつくことがなく、安心して浴槽壁を跨いで浴槽の中に出入りすることができる。
ニ　　また、応用例としては、手摺部分（２）の下部横バー（ｄ）の底部に設けた、複数の吸盤類（４）がある位置の洗い場に面する浴槽側壁の部分に、従来品のような∩字状の基板を一体化構成にして、浴槽側壁に差込み挟持にし、締付け具類で強固に固定する方法もある。
以上、本発明の実施例を説明したが、必ずしも、これらの実施例にとらわれるものではない。なお、構造・形態・材質等に関しては、特別限定されるものではない。
【０００６】
【発明の効果】
請求項１記載の本発明は、踏み台部分（１）と手摺部分（２）を結合して、浴槽側壁の上端に架け取付けして使用する。また、手摺部分（２）は壁面等に物干し・タオル掛けなどに利用でき、踏み台部分（１）とは互いに独立したものとして、双方を個々に単独で使用できる構造としたことで、軽量化と簡素化される効果がある。
【図面の簡単な説明】
【図１】本発明の斜視図である。
【図２】本発明の正面図である。
【図３】本発明の側面図である。
【図４】本発明の吸盤部詳細図である。
【符号の説明】
１　踏み台部分
２　手摺部分
３　手摺受部
４　複数の吸盤類
ａ　曲面縦バー
ｂ　斜面縦バー
ｃ　上部横バー
ｄ　下部横バー
【図１】
2004136039.tif 000003
【図２】
2004136039.tif 000004
【図３】
2004136039.tif 000005
【図４】
2004136039.tif 000006
(57)【要約】【課題】現在市場にあるシリアルＡＴＡのコネクタを有する部品を外部接続用用いて、コネクタがコンピュータ筐体の背面の開口部のふちに隠れることなく使用可能とする。【解決手段】シリアルＡＴＡのコネクタを有する部品をＰＣＩカード型の装置の基板とは別の第二の基板上に配し、この第二の基板をＰＣＩカード型の装置の基板上に適切な距離を置いて固定する。【選択図】  図１
2004199633.tif 000002
【特許請求の範囲】
【請求項１】
コンピュータ主基板上のＰＣＩバスに接続するＰＣＩカード型の装置へのシリアルＡＴＡ機器接続用のコネクタの取り付け構造であって、シリアルＡＴＡのコネクタを有する部品をＰＣＩカード型の装置の基板とは別の第二の基板上に配し、この第二の基板をＰＣＩカード型の装置の基板上に適切な距離を置いて固定することを特徴とするコネクタの取り付け構造。
【発明の詳細な説明】
【０００１】
【発明の属する技術分野】
この発明は、コンピュータ主基板上のＰＣＩバスに接続するＰＣＩカード型の装置へのシリアルＡＴＡ機器接続用のコネクタの取り付け構造に関するものである。
【０００２】
【従来の技術】
一般にＰＣＩカード型の装置で外部接続機器を接続するコネクタを有するものは、同ＰＣＩカード型の装置のブラケット部分に接する基板上にコネクタが取り付けられ、ブラケット部分に開いた開口部からコネクタが外部に露出する構造になっている。
こういったＰＣＩカード型の装置をコンピュータに取り付けた場合、ＰＣＩカード型の装置のブラケット部分が、コンピュータ筐体の背面部の開口部に合わさるようになっているため、上記コネクタにコンピュータ筐体の外部から機器を接続することが可能となっている。
コンピュータ筐体の背面の開口部はＰＣＩカード型の装置のブラケット部分より幅が狭いため、外部機器接続用のコネクタがＰＣＩカード型装置の基板上に接して設置されている場合、上記コネクタはコンピュータ筐体の背面の開口部のふちに一部隠れてしまう。
外部機器接続用のコネクタを有する部品は、ＰＣＩカード型の装置の基板から若干の距離をとる構造でこれを防いでいる。
【０００３】
【発明が解決しようとする課題】
現在市場にあるシリアルＡＴＡのコネクタを有する部品は、コネクタ部分がＰＣＩカード型の装置の基板に接して配置される構造となっているため、この部品を外部接続用に使用した場合、コネクタはコンピュータ筐体の背面の開口部のふちに一部隠れてしまって、実際には外部機器を接続することができない。（図４）
【０００４】
【課題を解決するための手段】
本発明は、シリアルＡＴＡのコネクタを有する部品をＰＣＩカード型の装置の基板とは別の第二の基板上に配し、この第二の基板をＰＣＩカード型の装置の基板上に適切な距離を置いて固定することによって、これらを解決する。
【０００５】
【発明の実施の形態】
シリアルＡＴＡのコネクタを有する部品を第二の基板上に配置する。（図２）
第二の基板をＰＣＩカード型の装置の基板上に、適切な距離をあけて固定することが可能なスペーサーを経由して固定する。（図１、図３）
ＰＣＩカード型の装置の基板と第二の基板の間は、ケーブルで配線することも可能であるし、またスペーサー内部に金属のピンなどを通して配線することも可能である。
【０００６】
【発明の効果】
図５の通り、第二の基板上にあるシリアルＡＴＡコネクタは、コンピュータ筐体の背面の開口部のふちに一部隠れてしまうことなく、外部機器の接続を行なうことが可能となる。
【図面の簡単な説明】
【図１】本発明の実施例の側面図である
【図２】本発明の要部の平面図である
【図３】本発明の要部の正面図である
【図４】従来の技術を用いたＰＣＩカード型の装置をコンピュータの筐体に取り付けた側面図である
【図５】本発明の取り付け構造を用いたＰＣＩカード型の装置をコンピュータの筐体に取り付けた側面図である
【符号の説明】
１はシリアルＡＴＡのコネクタを有する部品
２は第二の基板
３はスペーサー
４はＰＣＩカード型の装置の基板
５はシリアルＡＴＡのコネクタ
６はＰＣＩカード型の装置の基板のブラケット
７は外部接続機器のコネクタ
８はコンピュータ筐体の背面の開口部
９はＰＣＩバススロット
【図１】
2004199633.tif 000003
【図２】
2004199633.tif 000004
【図３】
2004199633.tif 000005
【図４】
2004199633.tif 000006
【図５】
2004199633.tif 000007
(57)【要約】［課題］  商品販売の為のホームページを多くの方に見ていただくのが難しかった。また、インターネットをするためには、プロバイダーの費用、通信費等の経費が必要で、この費用負担がインターネットの普及を妨げる一つの原因でした。［解決手段］  商品販売の為のホームページにリンクをはっていただくことを条件として、多くの法人、個人の方々に会員になっていただきます。そして会員になっていただいた方が、商品購入者を紹介してくださった時に、紹介料を支払います。【選択図】  なし【特許請求の範囲】
【請求項１】
インターネットを使い会員を増やし、会員と共に利益を増やすビジネス手法。
【発明の詳細な説明】
【０００１】
［発明の属する技術分野］
本発明は、インターネットのホームページとリンクの機能を使い、多くの会員を募集し、会員と共に利益を増やすビジネスモデルに関する。
【０００２】
［従来の技術］
インターネットを使って、金融商品、物品、サービスなど、全ての商品を販売する場合、これらの商品販売の目的で作成されたホームページを多くの方に見ていただくことが重要ですが、多くの方にホームページを見ていただくことが難しく、多くの広告費を使って宣伝しなければいけませんでした。また、インターネットをするためには、プロバイダーの費用、通信費等の経費が必要で、この費用負担がインターネットの普及を妨げる一つの原因でした。
【０００３】
［発明が解決しようとする課題］
本発明は、多くの方にホームページを見ていただき、かつインターネットのホームページを作成する方々を経済的に支援することにより、普及の遅れているインターネットのより一層の普及をはかります。
【０００４】
［課題を解決するための手段］
本発明は、ホームページを作るソフトを作成し、このソフトを多くの方々に配り、このソフトを使ってホームページを作った時、自動的に商品販売の為のホームページにリンクをはるようにしておきます。そして、商品販売のホームページにリンクをはっていただくことを条件として、多くの法人、個人の方に会員になっていただきます。そして、会員の方が、物品、サービス、金融商品など、全ての商品の購入者を紹介してくださった場合、紹介料を支払います。このようにして多くの方にホームページを見ていただく方法です。
【０００５】
［発明の実施の形態］
以下、本発明の実施の形態について説明する。
図１に示されるように、甲という法人又は個人がホームページを作成した時、物品、サービス、金融商品等の販売をしている乙のホームページにリンクをはっていただくことを条件として、乙の会員になっていただきます。このようにしますと、乙のホームページを直接見られる方だけでなく、甲のホームページを見た方の何人かは、乙のホームページも見てくださります。リンクをはってくださる方を増やせば増やすほど、乙のホームページは多くの方に見ていただけます。
そのため、会員の方がどの商品の紹介をすれば、会員の方の収入はいくらになるのかがすぐ分かるようにするために、商品番号と値段を入力すれば収入をすぐ計算するホームページを作り、多くの会員の方を獲得します。
【０００６】
［発明の効果］
本発明のビジネス手法を使えば、全ての商品販売の為のホームページを多くの方に見ていただけます。
また、ホームページを作りリンクをはってくださった会員の方が商品の購入者を紹介していただくだけで、それらの方々を経済的に支援することになりますし、このことがインターネットにかかる費用負担を軽くすることになりますので、インターネットの普及の一助になる効果があります。
【図面の簡単な説明】
【図１】本発明の実施例を示す形態図である。
【符号の説明】
甲  乙のホームページにリンクをはってくださる法人又は個人。
乙  ホームページを使って全ての商品を販売する個人又は法人。
Ａ  甲がホームページを作ったコンピュータ。
Ｂ  乙がホームページを作ったコンピュータ。
【図１】
2004199634.tif 000002
(57)【要約】【課題】キーボード文字入力のときに装着しても指先の微妙な感覚をそこなうことなく各指の入力キー（キーポジション）が常に確認できる学習用具を提供する。【解決手段】指先のない手袋の目視しやすい手の甲の部分に各指の入力キー（キーポジション）を付す。【選択図】    図１
2004199635.tif 000002
【特許請求の範囲】
【請求項１】
１
指先のない手袋の甲の部分に各指の文字入力キー（キーポジション）を付した手袋。
【発明の詳細な説明】
【０００１】
【発明の属する技術分野】
この発明は、パソコンなどのキーボード文字入力に不慣れな人が各指の入力キー（キーポジション）を常に確認できる学習用具に関するものである。
【０００２】
【従来の技術】
キーボードの文字配列はＡＢＣやあいうえ順など一般的な文字配列ではなく英文タイプ配列・ＪＩＳかな配列などの製品の規格に従った文字配列であるため覚えにくかった。学習方法としてはテキストの配列図を暗記する方法などがある。
【０００３】
【発明が解決しようとする課題】
キーボード入力時に各指の入力キー（キーポジション）をすぐに忘れてしまうという問題があり、テキストの配列図を見てそのつど確認しなければならなかった。本発明は、その問題を解決するためになされたものである。
【０００４】
【課題を解決するための手段】
指先の微妙な感覚を伝えるため指先のない手袋の目視しやすい手の甲の部分に各指の入力キー（キーポジション）を付す。
【０００５】
【発明の実施の形態】
以下、本発明の実施例を説明する。
収縮性のある手袋の指先の部分を切り落とす。各指の目視しやすい手の甲の部分に各指の入力キー（キーポジション）を付す。
本発明を使用するときは、両手に装着するだけでよい。
【０００６】
【発明の効果】
本発明は装着するだけで各指の入力キー（キーポジション）を常に確認でき、指先の部分がないので指先の微妙な感覚がそこなわれない。
安価に製造ができ、装着が簡単である。
特に学校教育現場などの多人数指導に最適である。
【図面の簡単な説明】
【図１】英文タイプ配列の場合の発明の正面図である。
【図１】
2004199635.tif 000003
(57)【要約】      （修正有）【課題】無法式主義で保護される著作物の保管及び訴訟時の立証方法である。又、発明主義を取るアメリカでは特許取得の発明日の特定にも応用可能である。【解決手段】創作物のコピー２組作り１組を封筒に入れ封緘する。郵便局の場合は記念押印制度（切手合計５０円以上）で物理的に開封出来ない位置に切手を貼って消印を割り印にする。送らず持ち帰るので封筒の重さも関係ない。公証人役場で日付の付与を希望し封印するので自分の印鑑（三文判で良い）を持っていく。１件７００円で公証人が登簿番号も付けてくれる。中に入れられるのは郵便局と同じである。封筒は中に入れなかったもう１組のコピーと一緒に持ち帰り保管する。これで著作権の立証が可能となる。【選択図】  図１
2004199647.tif 000002
【特許請求の範囲】
【請求項１】
郵便局の記念押印制度・又は、公証人役場の日付の付与を封筒の封印に利用し著作権を立証する方法
【発明の詳細な説明】
この発明は、無法式主義で保護されるべき創作物（著作権）で封筒に入る物に対して、封印して郵便局の記念押印を切手を貼る位置を封筒の裏に変える事で消印が、そのまま封印に利用できる。これでわざわざ自分宛に集配局に出向いて文字数制限があり高い内容証明や書留送付の手間と書留送料を節約でき、送られて来る物を受け取る手間も省略できる。切手は５０円以上が貼って有れば切手１枚に１つ消印が押される。１０円×５＝５０円で良い。
コピーは２組用意し１組を中に入れる。封筒内の著作物と同じコピーを確認できる。封筒には書類・絵・写真・カセットテープ・フロッピー・ＣＤ・ＤＶＤメモリーカード・メモリースティックなどコピー可能であり封筒に入れて保存可能な物全てに対応可能である。重さ・文字制限・枚数制限も無い。
スタンプが押されたら自分で持ち帰る。
このように幅広い創作の著作権を立証可能とした画期的システムある。
特に公証人役場での日付の付与は最も証拠能力が高く封筒一つにガッチリ割印して登簿番号まで刻印され７００円で立証能力は法務省管轄の役場だけに最高である。クライアントに合う前に手軽にスタンプを押してもらえる。
その後で相手に著作物を渡すと安心である。
2004199647.tif 000003
手軽でコストも安いので創作のステップこどに封印保存して（ラフスケッチの段階から清書したりひな型の写真を入れたり完成した絵をカラーコピーしたり）進捗状態までも立証出来る。
【図面の簡単な説明】
【図１】郵便局での記念押印による封印
【図２】公証人役場での日付の付与による封印
【図１】
2004199647.tif 000004
【図２】
2004199647.tif 000005
(57)【要約】【課題】充放電中に上方向に伸び、対極のストラップに当たって短絡するのを防止できる鉛蓄電池用格子体を得る。【解決手段】上枠骨２ａ、縦枠骨３ａ，３ｂ、下枠骨２ｂ、縦中骨４ａ、横中骨４ｂを有し、上枠骨２ａに耳部５を設ける。耳部５から遠い側の中骨４ａ，４ｂは、横中骨４ｂがなく縦中骨４ａのみで構成する。【選択図】  図１
2004199951.tif 000002
【特許請求の範囲】
【請求項１】
上枠骨、縦枠骨、下枠骨、縦中骨、横中骨を有し、前記上枠骨に耳部が設けられている鉛蓄電池用格子体であって、
前記耳部から遠い側の中骨は前記横中骨がなく前記縦中骨のみで構成されていることを特徴とする鉛蓄電池用格子体。
【請求項２】
前記横中骨がなく前記縦中骨のみで構成されている区間は、前記縦枠骨を含んで格子体横幅の３０％の区間であることを特徴とする請求項１に記載の鉛蓄電池用格子体。
【発明の詳細な説明】
【０００１】
【発明の属する技術分野】
本発明は、鉛蓄電池用格子体に関するものである。
【０００２】
【従来の技術】
従来の鉛蓄電池用格子体１は、図２に示すように、上枠骨２ａ、縦枠骨３ａ，３ｂ、下枠骨２ｂ、縦中骨４ａ、横中骨４ｂを有し、上枠骨２ａの片側よりの位置に耳部５が設けられた構造であった（例えば、特許文献１参照。）。
【０００３】
【特許文献１】
特許第２８０５９１０号公報（第１図）
【０００４】
【発明が解決しようとする課題】
しかしながら、従来の鉛蓄電池用格子体１を使用した鉛蓄電池では、この格子体１が充放電中に上方向に伸び、対極のストラップに当たり短絡するという問題点があった。
【０００５】
本発明の目的は、充放電中に上方向に伸び、対極のストラップに当たって短絡するのを防止できる鉛蓄電池用格子体を提供することにある。
【０００６】
【課題を解決するための手段】
本発明は、上枠骨、縦枠骨、下枠骨、縦中骨、横中骨を有し、上枠骨に耳部が設けられている鉛蓄電池用格子体を改良するものである。
【０００７】
本発明に係る鉛蓄電池用格子体では、耳部から遠い側の中骨は横中骨がなく縦中骨のみで構成されていることを特徴とする。
【０００８】
この場合、横中骨がなく縦中骨のみで構成されている区間は、縦枠骨を含んで格子体横幅の３０％の区間であることが好ましい。
【０００９】
このように鉛蓄電池用格子体を、耳部から遠い側の中骨は、横中骨がなく縦中骨のみで構成されていると、蓄電池の充放電により格子体が伸びた時に、耳部から遠い側では横中骨がないため結果的に伸びの力が横方向に逃げ、縦骨が変形して上枠骨を上方に押し上げることがなくなる。これにより、本発明の鉛蓄電池用格子体は、充放電中に上方向に伸び、対極のストラップに当たって短絡するのを防止することができる。
【００１０】
このような縦骨が変形して上枠骨を上方に押し上げる可能性のある区間は、縦枠骨を含んで格子体横幅の３０％の区間であるので、この区間の横中骨をなくすことにより、上記の効果を得ることができる。
【００１１】
【発明の実施の形態】
以下、本発明の実施の形態の一例を図１を参照して詳細の説明する。なお、前述した図２と対応する部分には、同一符号を付けて示している。
【００１２】
本例の鉛蓄電池用格子体１は、耳部５から遠い側の中骨４ａ，４ｂは、横中骨４ｂがなく縦中骨４ａのみで構成されている。この横中骨４ｂがなく縦中骨４ａのみで構成されている区間は、縦枠骨３ａを含んで格子体横幅の３０％の区間となっている。
【００１３】
このような格子体１を使用した９５Ｄ３１形蓄電池にて、ＪＩＳ過充電寿命試験を実施した。その結果、図２に示す従来の格子体１を使用した従来品の９５Ｄ３１形蓄電池の場合、その寿命回数が１１回であるのに対し、図１に示す本発明の格子体１を使用した本発明品の９５Ｄ３１形蓄電池の場合、寿命回数は１３回であった。このときの寿命原因は、従来品が格子体１の伸びによるストラップと格子体の短絡であるのに対し、本発明品は格子体１の劣化による寿命であった。
【００１４】
【表１】
2004199951.tif 000003
【００１５】
【発明の効果】
本発明に係る鉛蓄電池用格子体は、耳部から遠い側の中骨を、横中骨がなく縦中骨のみで構成しているので、蓄電池の充放電により格子体が伸びた時に、耳部から遠い側では横中骨がないため結果的に伸びの力が横方向に逃げ、縦骨が変形して上枠骨を上方に押し上げることがなくなる。これにより、本発明の鉛蓄電池用格子体は、充放電中に上方向に伸び、対極のストラップに当たって短絡するのを防止することができる。
【００１６】
このような縦骨が変形して上枠骨を上方に押し上げる可能性のある区間は、縦枠骨を含んで格子体横幅の３０％の区間であるので、この区間の横中骨をなくすことにより、上記の効果を得ることができる。
【図面の簡単な説明】
【図１】本発明に係る鉛蓄電池用格子体の正面図である。
【図２】従来の鉛蓄電池用格子体の正面図である。
【符号の説明】
１  鉛蓄電池用格子体
２ａ  上枠骨
２ｂ  下枠骨
３ａ，３ｂ  縦枠骨
４ａ  縦中骨
４ｂ  横中骨
５  耳部
【図１】
2004199951.tif 000004
【図２】
2004199951.tif 000005